(57)【要約】【課題】  粒状或いは錠剤タイプの食品や医薬品ための携帯型収納容器であって、意匠の異なった多種類の携帯型収納容器を可及的に低コストで提供する。【解決手段】  携帯型収納容器は粒状或いは錠剤タイプの食品や医薬品を収納するためのものであって、外ケースと、この外ケースに着脱自在に収容されるようになった内ケースとを具備し、該外ケースには所望の意匠が施され、該内ケースには粒状或いは錠剤タイプの食品や医薬品が収納される。【選択図】図２
0003180282.tif 000002
【実用新案登録請求の範囲】
【請求項１】
粒状或いは錠剤タイプの食品や医薬品ための携帯型収納容器であって、外ケースと、この外ケースに着脱自在に収容されるようになった内ケースとを具備し、前記外ケースには所望の意匠を施し、前記内ケースには粒状或いは錠剤タイプの食品や医薬品が収納されることを特徴とする携帯型収納容器。
【請求項２】
請求項１に記載の携帯型収納容器において、前記内ケースのス少なくとも一方の対向側壁の外側寸法形状が前記外ケースの収容空間の該当内側寸法形状と実質的に一致させられ、前記内ケースの対向側壁の少なくとも一方には該内ケースの剛性を弱めるための開口部が形成され、該側壁の内側壁面には前記開口部を塞ぐための弾性シートが貼り付けられることを特徴とする携帯型収容容器。
【請求項３】
請求項１又は２に記載の携帯型収納容器において、前記外ケースの意匠がオイルガスライターの外形を模したものとされ、前記内ケースの外観形状がオイルガスライターの本体に類似する形状を持ち、前記内ケースには粒状若しくは錠剤状のミント菓子その他の食品が収容されることを特徴とする携帯型収納容器。
【考案の詳細な説明】
【技術分野】
【０００１】  本考案は、粒状或いは錠剤タイプの食品や医薬品ための携帯型収納容器に関する。
【背景技術】
【０００２】  当該技術分野では、粒状或いは錠剤タイプの食品や医薬品ための携帯型収納容器はしばしばフリスクケースなどと呼ばれるものであって、広く普及しているものである（例えば、特許文献１）。このような携帯型収納容器は、一般的には。種々の機能（例えば定量分配機能等）を重視したものであり、できるだけ低コストで提供し得るように構成されているものである。
【先行技術文献】
【０００３】
【特許文献１】特開２０１０−１０５７４６号公報
【０００４】  一方、粒状或いは錠剤タイプの食品や医薬品ための携帯型収納容器として、遊び心やダンディズムを刺激するような意匠を施したものに対する要望もあるが、この場合各個人毎の嗜好に応じ得る意匠を施した携帯型収納容器を提供することは事実上不可能である。というのは、意匠の異なった多種類の携帯型収納容器を製造するには製造コストが大巾に高く付くからである。
【考案の概要】
【考案が解決しようとする課題】
【０００５】  本考案は、粒状或いは錠剤タイプの食品や医薬品ための携帯型収納容器であって、遊び心やダンディズムを刺激するような多種類の意匠が施された携帯型収納容器を可及的に低コストで提供することを目的とする。
【課題を解決するための手段】
【０００６】  本考案による携帯型収納容器は粒状或いは錠剤タイプの食品や医薬品を収納するためのものであって、外ケースと、この外ケースに着脱自在に収容されるようになった内ケースとを具備し、該外ケースには所望の意匠が施され、該内ケースには粒状或いは錠剤タイプの食品や医薬品が収納される。【０００７】  このような携帯型収納容器においては、好ましくは、内ケースのス少なくとも一方の対向側壁の外側寸法形状が外ケースの収容空間の該当内側寸法形状と実質的に一致させられ、該内ケースの対向側壁の少なくとも一方には該内ケースの剛性を弱めるための開口部が形成され、該側壁の内側壁面には開口部を塞ぐための弾性シートが貼り付けられる。【０００８】また、一層好ましくは、本考案による携帯型収納容器においては、外ケースの意匠がオイルガスライターの外形を模したものとされ、内ケースの外観形状がオイルガスライターの本体に類似する形状を持ち、該内ケースには粒伏若しくは錠剤状のミント菓子その他の食品が収容される。
【考案の効果】
【０００９】  本考案による携帯型収納容器にあっては、外ケース自体には個人の嗜好に応じ得る様々な意匠を施し得る一方、内ケース自体は大量生産により低コストで製造することができるので、意匠の異なった多種類の携帯型収納容器を可及的に低コストで提供することが可能である。【００１０】  本考案による携帯型収納容器においては、好ましくは、内ケースのス少なくとも一方の対向側壁の外側寸法形状が外ケースの収容空間の該当内側寸法形状と実質的に一致させられ、該内ケースの対向側壁の少なくとも一方には該内ケースの剛性を弱めるための開口部が形成され、該側壁の内側壁面には開口部を塞ぐための弾性シートが貼り付けられる。このような構成によれば、外ケースに内ケースを収容させるとき、内ケースの弾性変形が補償されるので、内ケースは外ケースに容易に収容され得るだけでなく、内ケースが一旦外ケース収容されると、適当な弾性的な保持力が得られて内ケースが妄りに外ケースから抜け落ちたりすることが防止され得る。【００１１】
【図面の簡単な説明】
【００１２】
【図１】は本考案による携帯型収容容器の外ケースを示す斜視図である。
【図２】は本考案による携帯型収納容器の内ケースを正面側から見た斜視図である。
【図３】は本考案による携帯型収納容器の内ケースを裏面側から見た斜視図である。
【図４】は本考案による携帯型収納容器の内ケースの開閉蓋を示す斜視図である。
【図５】は本考案による携帯型収納容器の内ケースの正面側部品を示す斜視図である。
【図６】は図５に示す正面側部品を裏側から見た正面側部品の斜視図である。
【図７】は本考案による携帯型収納容器の内ケースの裏面側部品を示す斜視図である。
【図８】は図７に示す裏面側部品を裏側から見た裏面側部品の斜視図である。
【考案を実施するための最良の形態】
【００１３】  以下、図１ないし図８を参照して、本考案による携帯型収納容器の一実施形態について説明する。なお、この携帯型収納容器は粒状或いは錠剤タイプの食品や医薬品を収納して、必要に応じてその所望量を適宜取り出すものである。【００１４】  先ず図１を参照すると、そこには本考案による携帯型収納容器の全体が斜視図として図示され、この携帯型収納容器は遊び心及びダンディズムを刺激するように例えばオイルライターの外形を模した構成の外ケース１０を具備する。外ケース１０は本体部分１０ａ及び蓋部分１０ｂから成り、これらは全体として人の手にフィットするような大きさの直方形状を呈する。本体部分１０ａ及び蓋部分１０ｂは、好ましくは適当な重量感のある金属材料例えばステンレススチールや真鍮から形成される。【００１５】  本体部分１０ａは長方形の収容空間を有し、その収容空間の頂部側は矩形状開口部とされる。また、蓋部分１０ｂも長方形の収容空間を有し、その収容空間の底部側は矩形状開口部とされる。本体部分１０ａの一方の幅の狭い上側面縁辺と、この上側面縁辺に対応した蓋部分１０ｂの幅の狭い下側面縁とはヒンジ１０ｃによって互いに枢着され、これにより蓋部分１０ｂは、図１に示す閉鎖位置と、この閉鎖位置からヒンジ１０ｃの枢軸の周りで時計方向に回動させられた開放位置との間で開閉自在とされる。なお、本体部分１０ａと蓋部分１０ｂの厚み及び横幅はほぼ同じ寸法とされ、図１に示す閉鎖位置では、双方の収容空間が合体して一つ長方形状収容空間とされる。【００１６】  図２及び図３を参照すると、図１に示す外ケース１０に収容されるようになった内ケース２０が斜視図として示され、この内ケース２０は粒状或いは錠剤タイプの食品や医薬品を収納するために使用されるものである。なお、図２は内ケース２０を正面側から見た斜視図であり、図３は内ケース２０を裏面側から見た斜視図である。【００１７】  内ケース２０は適当な合成樹種材料から形成され、外ケース１０の本体部分１０ａに収容されるようになった本体部分２０ａと、この本体部分２０ａの頂部から突出しかつ外ケース１０の蓋部分１０ｂによって覆われるようになった突出部分２０ｂとから成り、第２図及び第３図に示すように外観形状はオイルガスライターの本体に類似する形状をもっている。【００１８】  内ケース２０に粒状或いは錠剤タイプの食品や医薬品を収納させるために、その本体部分２０ａの一方の幅の狭い側壁には細長い開口部が形成され、この開口部には開閉蓋２０ｃがその長さ方向に摺動するように装着される。図４に示すように、開閉蓋２０ｃは略Ｌ字形の形態を呈し、その長手方向の両側辺に沿って凸条縁２０ｃ１が形成され、この一対の凸条縁２０ｃ１は上述した細長い開口部の長手方向の両側に形成されたガイド溝（図２及び図３では見ることができない）に摺動自在に係合させられる。また、開閉蓋２０ｃはそのＬ字形の形態を与える屈曲片２０ｃ２を有し、開閉蓋２０ｃが図２及び図３に示す閉鎖位置にあるとき、屈曲片２０ｃ２は本体部分２０ａの底部に当接した状態となる。【００１９】  内ケース２０に粒状或いは錠剤タイプの食品や医薬品を収納するとき、開閉蓋２０ｃに適当な指の腹を押し付けて該開閉蓋２０ｃを���ケース２０の本体部分２０ａの底部側に押し下げることにより、開閉蓋２０ｃはその閉鎖位置（図３）から開放位置に摺動させられ、これにより本体部分２０ａの細長い開口部が開放されて、そこから粒状或いは錠剤タイプの食品や医薬品が内ケース２０の内部に充填させられて収納されることになる。なお、図３に示すように、開閉蓋２０ｃの外側表面にはその長手方向を横切るように複数の溝が適当な間隔で形成され、そこに指の腹を当てたときに該腹に引っ掛かり与え、これにより開閉蓋２０ｃがスリップ無しに摺動し得るようになっている。【００２０】  また、本考案によれば、図２及び３に示すように、内ケース２０の幅の広い両側壁のそれぞれの中央領域には星型の開口部２０ｄが形成され、該両側壁のそれぞれの内側壁面には星型の開口部２０ｄを塞ぐようにゴムシート２０ｅが貼り付けられ、これにより星型の開口部２０ｄからの粒状或いは錠剤タイプの食品や医薬品の零れ落ちが防止されるようになっている。なお、内ケース２０の幅の広い両側壁のそれぞれに星型の開口部２０ｄを形成する理由については後で詳しく説明する。【００２１】  図２に示すように、内ケース２０の突出部分２０ｂの正面側の壁面には矩形開口部２０ｆが形成され、この矩形開口部２０ｆは内ケース２０から粒状或いは錠剤タイプの食品や医薬品を取り出す際の取出し口として機能する。【００２２】  また、図２及び図３に示すように、内ケース２０の本体部分２０ａと突出部分２０ｂとの一方の肩部には一対のフランジ部２０ｇが設けられ、この一対のフランジ部２０ｇの間にはオイルライターの蓋用ストッパーに対応するストッパー状部材２０ｈが枢着保持される。図２及び図３には図示されないが、ストッパー状部材２０ｈは例えばトーションばね等の弾性部材によってばね付勢され、内ケース２０の本体部分２０ａが図１の外ケース１０の本体部分１０ａに収容された後に外ケース１０の蓋部分１０ｂが開放位置から閉鎖位置まで回動させられて内ケース２０の突出部分２０ｂが覆われたとき、ストッパー状部材２０ｈが蓋部分１０ｂの内側壁に形成された凹部に係合させられ、これにより蓋部分１０ｂが閉鎖位置（図１）に係合保持されて、蓋部分１０ｂが妄りに回動することが防止される。【００２３】  本実施形態においては、内ケース２０を低コストで製造するために、内ケース２０は２つの部品から形成される。図５及び図６には、内ケース２０の２つの部品のうちの一方が参照符号２０Ａで全体的に示され、図５は内ケース２０の正面側部品２０Ａを正面側から見た斜視図であり、図６は図５の正面側部品２０Ａを裏側から見た斜視図である。図７及び図８には、内ケース２０の他方の部品が参照符号２０Ｂで全体的に示され、図７は内ケース２０の裏面側部品２０Ｂを正面側から見た斜視図であり、図８は図７の裏面側部品２０Ｂを裏側から見た斜視図である。【００２４】  図５及び図６に示す正面側部品２０Ａは内ケース２０の正面側の半身部分として適当な合成樹脂材料から一体成形された後、その内側壁面の前面に亘ってゴムシート２２ｅが貼り付けられ（図５参照）、これにより正面側部品２０Ａの星型の開口部２０ｄが塞がれる。同様に、図７及び図８に示す裏面側部品２０Ｂも内ケース２０の裏面側の半身部分として同じ合成樹脂材料から一体成形された後、その内側壁面の前面に亘ってゴムシート２２ｅが貼り付けられ（図７参照）、これにより裏面側部品２０Ｂの星型の開口部２０ｄが塞がれる。図２及び図３を参照して説明した内ケース２０の構成要素と同じ構成要素については、同じ参照符号が付されている。なお、図６における参照符号２０ｃ３は開閉蓋２０ｃの凸条縁２０ｃ１の一方を摺動自在に受け入れるガイド溝を示し、同様に図７における参照符号２０ｃ３は開閉蓋２０ｃのもう一方の凸条縁２０ｃ１を摺動自在に受け入れるガイド溝を示す。【００２５】  正面側部品２０Ａと裏面側部品２０Ｂとが互いに整合させられて組み合わされた後に超音波溶着によって一体化させられ、これにより図２及び図３に示すような内ケース２０が得られることになる。なお、超音波溶着時にはストッパー２０ｈが一対のフランジ部２０ｇ間に前もって組み込まれ、これによりストッパー２０ｈの枢着保持が行われることになる。また、内ケース２０に対する開閉蓋２０ｃの装着については、正面側部品２０Ａと裏面側部品２０Ｂとの超音波溶着後にその凸条縁２０ｃ１を一対のガイド溝２０ｃ３を挿通させることにより行われる。【００２６】  ところで、外ケース１０の本体部分１０ａから内ケース２０の本体部分２０ａが妄りに抜け出ないようにするためには、少なくとも内ケース２０の本体部分２０ａの幅の広い両側壁の外側寸法形状を外ケース１０の本体部分１０ａの収容空間の該当内側寸法形状に実質的に一致させて、本体部分２０ａが本体部分１０ａの収容空間内に収容された際にその間に或る程度の摩擦力を働かすようにすることが必要である。しかしながら、内ケース２０が比較的大きな剛性を持つような場合には、製造上の寸法誤差等のために内ケース２０の本体部分２０ａを外ケース１０の本体部分１０ａに収容させることがきわめて困難となる場合がある。【００２７】  このような問題を回避するために、内ケース２０の本体部分２０ａの幅の広い外側寸法形状を外ケース１０の本体部分１０ａの収容空間の該当内側寸法形状よりも幾分小さめすることが考えられるが、この場合には携帯型収納容器の使用時に内ケース２０の本体部分２０ａが外ケース１０の本体部分１０ａの収容空間から妄りに抜け落ちる虞れがある。このような抜け落ちを阻止するためには、追加の留め具等が必要となり、携帯型収納容器のコストが高めることになる。【００２８】  しかしながら、本考案によれば、上述したように、内ケース２０の幅の広い両側壁のそれぞれの中央領域には星型の開口部２０ｄが形成されているので、内ケース２０の全体の剛性が弱められて、内ケース２０は容易に弾性変形し得ることとなる。かくして、内ケース２０の本体部分２０ａは外ケース１０の本体部分１０ａに容易に収容され得るだけでなく、適当な弾性的な保持力が得られて内ケース２０が妄りに外ケース１０から抜け落ちたりすることが防止され得る。【００２９】  上述の実施形態においては、内ケース２０の幅の広い両側壁のそれぞれの中央領域に星型の開口部２０ｄが形成されるけれども、その両側壁の一方だけに開口部２０ｄが形成されてもよい。また、本実施形態では、開口部２０ｄは星型形状とされて��るが、その他の適当な形状とされてもよい。【００３０】  また、上述の実施形態においては、内ケース２０は適当な樹脂材料製とされているが、その他の材料例えば適当な硬質材料或いは適当な厚さの金属板から構成されてもよい。【００３１】  更に、上述の実施形態においては、外ケース１０はオイルライターの外形を模した形状とされているが、外ケース１０は女性用或いは男性用の種々の小物の意匠を模したものとすることができる。なお、この場合には、内ケース２０は種々の意匠の小物に共通して使用し得るようにすることがコスト面で好ましい。
【符号の説明】
【００３２】１０      外ケース
１０ａ    本体部分
１０ｂ    蓋部分
１０ｃ    ヒンジ
２０      内ケース
２０ａ    本体部分
２０ｂ    突出部分
２０ｃ    開閉蓋
２０ｃ１  凸条縁
２０ｃ２  屈曲片
２０ｄ    開口部
２０ｅ    ゴムシート
２０ｆ    矩形開口部
２０ｇ    フランジ部
２０ｈ    ストッパー状部材
２０Ａ    正面側部品
２０Ｂ    裏面側部品
２０ｃ３  ガイド溝
【図１】
0003180282.tif 000003
【図２】
0003180282.tif 000004
【図３】
0003180282.tif 000005
【図４】
0003180282.tif 000006
【図５】
0003180282.tif 000007
【図６】
0003180282.tif 000008
【図７】
0003180282.tif 000009
【図８】
0003180282.tif 000010